(57)【要約】【課題】安定した品質のものを安価に製造することができるようにする。【解決手段】本発明の粒状体の繰出ロール１は、多数の粒状体を収容する収容部の下部開口近傍に回転可能に取り付けられ、外周面に形成された繰出穴１６を介して前記収容部内の粒状体を外部に繰り出すためのものであり、回転軸５長さ方向に延びる中心部２と、該中心部２の外周に装着され、繰出穴１６を有する外周部３とを備えている。外周部３は、周方向に分割形成された分割片１５からなっている。【選択図】　　　図１
2004051251.tif 000002
【特許請求の範囲】
【請求項１】
多数の粒状体を収容する収容部の下部開口近傍に回転可能に取り付けられ、外周面に形成された繰出穴を介して前記収容部内の粒状体を外部に繰り出すための粒状体の繰出ロールにおいて、
回転軸長さ方向に延びる中心部と、該中心部の外周に装着され、前記繰出穴を有する外周部とを備え、
前記外周部は、周方向に分割形成された分割片からなる粒状体の繰出ロール。
【請求項２】
前記分割片は、略角柱状に形成されるとともに、２以上の側面に互いに異なる態様の繰出穴が形成されており、
前記中心部は、該２以上の側面のいずれかを選択的に径方向外方へ向けて前記分割片を支持可能に構成された請求項１記載の粒状体の繰出ロール。
【発明の詳細な説明】
【０００１】
【発明の属する技術分野】
本発明は、収容部内に収納された薬剤、肥料、種子等の粒状体を外部に繰り出すための繰出ロールに関するものである。
【０００２】
【従来の技術】
繰出ロールは、薬剤、肥料、種子等の粒状体を収容する収容部の下部開口近傍に回転可能に取り付けられ、外周面に形成された多数の繰出穴を介して該収容部内の粒状体を外部に繰り出すようになっている。繰出ロールを製作する場合、従来は金属又は樹脂等からなる円筒体の周面に機械加工をすることにより多数の繰出穴を形成している。
【０００３】
【発明が解決しようとする課題】
ところが、繰出穴を機械加工により形成する場合は、次の欠点がある。
（１）繰出穴の深さや大きさが一定しないため粒状体の繰出精度が悪い。
（２）繰出穴の縁部にできるバリを除去する手間がかかる等、加工に要するコストが非常に高い。
（３）粒状体の粒形・品種に応じた複数種類の繰出ローラを用意する必要がありコストがかかる。
【０００４】
本発明の目的は、上記課題を解決し、安定した品質のものを安価に製造することができる粒状体の繰出ロールを提供することにある。
【０００５】
【課題を解決するための手段】
上記目的を達成するために、本発明の粒状体の繰出ロールは、多数の粒状体を収容する収容部の下部開口近傍に回転可能に取り付けられ、外周面に形成された繰出穴を介して前記収容部内の粒状体を外部に繰り出すための粒状体の繰出ロールにおいて、回転軸長さ方向に延びる中心部と、該中心部の外周に装着され、前記繰出穴を有する外周部とを備え、前記外周部は、周方向に分割形成された分割片からなっている。
【０００６】
この構成によれば、前記繰出穴を有する前記外周部をその分割片ごとに型成形により形成することができ、機械加工しなくてもよい。このため繰出穴を精度良く低コストに形成することができる。また、繰出穴の大きさや深さが異なる複数種類の外周部を粒状体に応じて適宜取り替えることにより、粒状体の粒形や品種の違う粒状体に対応することができる。
【０００７】
前記分割片は、略角柱状に形成されるとともに、２以上の側面に互いに異なる態様の繰出穴が形成されており、前記中心部は、該２以上の側面のいずれかを選択的に径方向外方へ向けて前記分割片を支持可能に構成された態様を例示する。
【０００８】
この構成によれば、前記分割片の２以上の側面のいずれかを選択的に径方向外方へ向けて前記中心部に取り付けることにより、粒状体の粒形や品種に応じて最適な態様の繰出穴を使用することができる。ここで、「異なる態様」とは、特に限定されないが、穴の大きさや深さが異なっている態様や、穴の位置や数が異なっている態様を例示する。
【０００９】
【発明の実施の形態】
図１〜図６は、本発明を具体化した第一実施形態の粒状体の繰出ロール１を備えた施薬装置２０を示している。この施薬装置２０は、図１に示す苗箱送り方向に送られるポット用苗箱Ｎの各ポット部Ｎｂに粒状体としての薬剤Ｙを播く装置であり、薬剤Ｙを収容する収容部２１と、該収容部２１の下部開口２１ａの近傍に上下に対向配置された回転ブラシ２２及び施薬用の繰出ロール１とを備えている。そして、収容部２１に投入された薬剤Ｙは、収容部２１の下部開口２１ａから繰出ロール１へと流れ落ちる。繰出ロール１は、その回転に伴って外周面に形成された繰出穴１６で薬剤Ｙをすくい、更なる回転により、繰出穴１６内の薬剤Ｙが繰出ロール１の下方を流れる苗箱Ｎへ運ばれる。そして、繰出穴１６が下方へ向くことで薬剤Ｙが落下し、苗箱Ｎの各ポット部Ｎｂ内へ適量の薬剤Ｙを均一に施用するようになっている。
【００１０】
繰出ロール１は略円柱状に形成されており、その回転軸５の長さ方向に延びる中心部２と、該中心部２の外周に装着される外周部３と、中心部２の両端に取り付けられる円板状の押え部材４とを備えている。
【００１１】
中心部２は、アルミニウム等の金属材料が押出成形されることにより、高精度な断面形状を有する略円筒状に形成されている。中心部２の外周面には、回転軸５の長さ方向へ延びる複数（本例では８つ）の凸条１０が周方向に一定間隔をおいて配設されており、該凸条１０先端側の両側面には、それぞれ周方向に突出する係止部１０ａが形成されている。また、中心部２の内周面には、軸長さ方向へ延びる複数（本例では４つ）の取付部１１が周方向に一定間隔をおいて配設されている。
【００１２】
外周部３は、周方向に分割形成された複数（本例では８つ）の分割片１５からなっている。各分割片１５は樹脂又はゴム材料等が型成形されることにより、中心部２の隣り合う一対の凸条１０の間に嵌入可能な略長板状に形成されるとともに、外周面に多数の繰出穴１６が形成されている。
【００１３】
この繰出ロール１を組み立てるには、まず、中心部２の側面側から一対の凸条１０の間に外周部の分割片１５を差し込む。これを繰り返し、中心部２に８つの分割片１５を装着する。このとき、各分割片１５は、一対の凸条１０により中心部２の外周に位置決めされるとともに、外周面の両縁部が凸条１０の係止部１０ａにより係止され、中心部２の径方向へ外れないように保持された状態となっている。次いで、中心部２の両端に分割片１５の抜けを防止するための押え部材４を配設し、中心部２の取付部１１に例えばネジ１９で固定すると完成する。そして、繰出ロール１は、押え部材４又は中心部２に回転軸５が相対回転しないように結合された状態で使用される。
【００１４】
以上のように構成された本発明の粒状体の繰出ロール１によれば、繰出穴１６を有する外周部をその分割片１５ごとに型成形により形成することができ、機械加工しなくてもよい。このため繰出穴１６を精度良く低コストに形成することができる。また、繰出穴１６の大きさや深さが異なる複数種類の外周部３を薬剤Ｙに応じて適宜取り替えることにより、粒形や品種の違う薬剤Ｙに対応することができる。
【００１５】
次に図５は、第二実施形態の繰出ロール３１を示しており、本実施形態は、次の点において主に第一実施形態と相違しており、その他の点については共通している。従って、共通する部分には同一符号を付することにより、重複説明を省く（他の実施形態についても同様）。
【００１６】
本実施形態の繰出ロール３１の外周部３３は、分割片３４が略板状に形成されるとともに、その表裏２面に互いに異なる態様の繰出穴１６が形成されている。そして、中心部３２は、表裏２面のいずれかを選択的に径方向外方へ向けて分割片３４を支持可能に構成されている。
【００１７】
この構成によれば、第一実施形態の効果に加え、分割片３４の表裏２面のいずれかを選択的に径方向外方へ向けて中心部３２に取り付けることにより、粒状体の粒形や品種に応じて最適な態様の繰出穴１６を使用することができる。
【００１８】
次に図６は、第三実施形態の繰出ロール４１を示しており、本実施形態は、次の点において主に第二実施形態と相違しており、その他の点については共通している。
【００１９】
本実施形態の繰出ロール４１の外周部４３は、分割片４４が正四角柱状に形成されるとともに、４つの側面に互いに異なる態様の繰出穴１６が形成されている。そして、中心部４２は、該４つの側面のいずれかを選択的に径方向外方へ向けて分割片４４を支持可能に構成されている。
【００２０】
本実施形態によっても、第三実施形態と同様の効果を得ることができる。
【００２１】
なお、本発明は前記実施形態に限定されるものではなく、例えば以下のように、発明の趣旨から逸脱しない範囲で適宜変更して具体化することもできる。
（１）中心部への外周部の装着構造を適宜変更すること。例えば、図７に示すように中心部２の凸条１０から分割片外れ止め用の係止部１０ａを省き、これに代えて、分割片１５の外れ止め用に外周部３の両端にキャップ状の押え部材５０を被せることを例示する。
（２）繰出ロール１を薬剤Ｙ以外の肥料、種子等の粒状体の繰り出し用に使用すること。
【００２２】
【発明の効果】
本発明に係る粒状体の繰出ロールによれば、安定した品質のものを安価に製造することができるという優れた効果を奏する。
【図面の簡単な説明】
【図１】本発明の第一実施形態に係る粒状体の繰出ロールを備えた施薬装置の構成を示す概略側断面図である。
【図２】同繰出ロールの斜視図である。
【図３】同繰出ロールの中心部の斜視図である。
【図４】同繰出ロールの外周部の分割片を示す図であり、（ａ）は平面図、（ｂ）は（ａ）のｂ−ｂ線断面図である。
【図５】本発明の第二実施形態に係る粒状体の繰出ロールを示す断面図である。
【図６】本発明の第三実施形態に係る粒状体の繰出ロールを示す断面図である。
【図７】本発明の繰出ロールの変更例を示す図であり、（ａ）は側面図、（ｂ）は（ａ）のｂ−ｂ線断面図である。
【符号の説明】
１　繰出ロール
２　中心部
３　外周部
５　回転軸
１５　分割片
１６　繰出穴
２０　施薬装置
３１　繰出ロール
３２　中心部
３３　外周部
３４　分割片
４１　繰出ロール
４２　中心部
４３　外周部
４４　分割片
５０　押え部材
Ｎ　　ポット用苗箱
Ｎｂ　ポット部
Ｙ　　薬剤
【図１】
2004051251.tif 000003
【図２】
2004051251.tif 000004
【図３】
2004051251.tif 000005
【図４】
2004051251.tif 000006
【図５】
2004051251.tif 000007
【図６】
2004051251.tif 000008
【図７】
2004051251.tif 000009